(57)【要約】【課題】記憶デバイスに記憶されている機密文書などの漏洩を防止する。【解決手段】システム制御部１２０がユーザー認証済みの携帯端末３００からＮＦＣタグ２００へのＷｒｉｔｅ要求に含まれる電源モード移行要求情報の書き込みがあると、電源制御部１１７に対し電源モード移行要求情報に基づき通常モードへの移行を指示し、携帯端末３００がＮＦＣタグ２００から離れた場合、電源制御部１１７に対し指示前の電源モードに戻すように指示する。これにより、たとえば携帯端末３００がＮＦＣタグ２００に近接している場合、電源制御部１１７が通常モードに移行することで、ＭＦＰ１００の利用が可能となり、携帯端末３００がＮＦＣタグ２００から離れた場合、電源制御部１１７が通常モードから指示前の電源モードに戻るため、ＭＦＰ１００の利用が不可能となる。【選択図】図２
2018075790.tif 000002
【特許請求の範囲】
【請求項１】
情報を記憶する無線タグと、
電源モードを制御する電源制御部と、
前記情報に基づき前記電源制御部に対して前記電源モードの移行を指示するシステム制御部とを備え、
前記システム制御部は、ユーザー認証済みの携帯端末から前記無線タグへのＷｒｉｔｅ要求に含まれる電源モード移行要求情報の書き込みがあると、前記電源制御部に対し前記電源モード移行要求情報に基づき通常モードへの移行を指示し、前記携帯端末が前記無線タグから離れた場合、前記電源制御部に対し指示前の電源モードに戻すように指示する
ことを特徴とする電子機器。
【請求項２】
認証管理部を備え、
前記システム制御部は、前記無線タグに対して前記携帯端末からのＲｅａｄ要求がある場合、前記認証管理部に対し、前記Ｒｅａｄ要求に含まれるパスワード認証情報のユーザー認証を指示し、前記認証管理部による前記ユーザー認証が成功した場合、前記電源制御部の現在の前記電源モードを取得して前記無線タグに電源モード情報を書き込み、前記携帯端末から前記無線タグに書き込まれた前記電源モード情報に対する前記電源モード移行要求情報に基づき、前記電源制御部に対して通常モードへの移行を指示することを特徴とする請求項１に記載の電子機器。
【請求項３】
認証管理部を備え、
前記システム制御部は、
前記携帯端末が前記無線タグから離れた場合、前記電源制御部が前記指示前の電源モードに戻すと、前記電源制御部の現在の前記電源モードを取得して前記無線タグに電源モード情報を書き込み、
前記無線タグに対して前記携帯端末からのＲｅａｄ要求がある場合、前記認証管理部に対し、前記Ｒｅａｄ要求に含まれるパスワード認証情報のユーザー認証を指示し、前記認証管理部による前記ユーザー認証が成功した場合、前記携帯端末から前記無線タグに書き込まれた前記電源モード情報に対する前記電源モード移行要求情報に基づき、前記電源制御部に対して通常モードへの移行を指示することを特徴とする請求項１に記載の電子機器。
【請求項４】
前記電源モード情報は、省電力モード又は電源ＯＦＦモードを示す内容を含み、
前記電源モード移行要求情報は、省電力解除要求又は電源ＯＮ要求を含み、
前記システム制御部は、
前記電源モード移行要求情報が前記省電力解除要求である場合、前記電源制御部に対し前記省電力解除要求に基づく通常モードへの移行と、前記携帯端末が前記無線タグから離れたことに基づく通常モードから前記省電力モードへの移行とを指示し、
前記電源モード移行要求情報が前記電源ＯＮ要求である場合、前記電源制御部に対し前記電源ＯＮ要求に基づく通常モードへの移行と、前記携帯端末が前記無線タグから離れたことに基づく通常モードから前記電源ＯＦＦモードへの移行とを指示する
ことを特徴とする請求項２または３に記載の電子機器。
【請求項５】
電子機器を制御するコンピューターに実行させる電源制御プログラムであって、
無線タグに情報を記憶させる工程と、
電源制御部により、電源モードを制御する工程と、
システム制御部により、前記情報に基づき前記電源制御部に対して前記電源モードの移行を指示する工程とを有し、
前記システム制御部は、ユーザー認証済みの携帯端末から前記無線タグへのＷｒｉｔｅ要求に含まれる電源モード移行要求情報の書き込みがあると、前記電源制御部に対し前記電源モード移行要求情報に基づき通常モードへの移行を指示し、前記携帯端末が前記無線タグから離れた場合、前記電源制御部に対し指示前の電源モードに戻すように指示する
ことを特徴とする電源制御プログラム。
【発明の詳細な説明】
【技術分野】
【０００１】
本発明は、電源制御などに適した電子機器及び電源制御プログラムに関する。
【背景技術】
【０００２】
たとえば、プリンター、多機能プリンター、複合機などのＭＦＰ（Ｍｕｌｔｉｆｕｎｃｔｉｏｎ  Ｐｅｒｉｐｈｅｒａｌ）である画像形成装置においては、たとえばネットワーク接続で必要となる有線又は無線の接続情報や、機器名称などの機器情報などを記憶するＮＦＣ（Ｎｅａｒ  ｆｉｅｌｄ  ｒａｄｉｏ  ｃｏｍｍｕｎｉｃａｔｉｏｎ）タグなどの無線タグを搭載する場合がある。なお、無線タグに対しては画像形成装置によって各種情報の書き込み及び読み出しが可能であるが、Ｒｅａｄｅｒ／Ｗｒｉｔｅｒ機能を搭載したスマートフォンなどの携帯端末であっても無線タグに対する各種情報の書き込み及び読み出しが可能である。
【０００３】
このような無線タグを利用したものとして、特許文献１では、外部装置と非接触通信を行う非接触通信部と、電源ＯＮ／ＯＦＦ及び撮像準備動作を制御する制御部とを備え、制御部は、外部装置から非接触通信により発信されたポーリングコマンドを検知した際に電源をＯＮにする制御を行い、電源をＯＮにした後、外部装置と無線通信の接続を行うための接続情報を外部装置に送信し、接続情報の送信が完了した場合に、撮像準備動作を行うよう制御する撮像装置を提案している。
【先行技術文献】
【特許文献】
【０００４】
【特許文献１】特許第５５２７４９２号公報
【発明の概要】
【発明が解決しようとする課題】
【０００５】
上述した特許文献１での撮像装置では、撮像装置であるデジタルカメラに搭載した無線タグと、外部装置であるスマートフォンなどの携帯端末との非接触通信により、デジタルカメラの電源を自動的にＯＮ制御できる。
【０００６】
このような撮像装置の電源を自動的にＯＮ制御できる技術を、上述した無線タグを搭載する画像形成装置に適用すると、スマートフォンなどの携帯端末と無線タグとの無線通信により、画像形成装置の電源のＯＮ制御などを自動的に行わせることができるものと考えられる。
【０００７】
ところで、上述した画像形成装置では、ＨＤＤ（Ｈａｒｄ  Ｄｉｓｋ  Ｄｒｉｖｅ）などの記憶デバイスに機密文書などを記憶させている場合がある。この場合、画像形成装置の電源を自動的にＯＮ制御できても、電源ＯＦＦのし忘れを生じることがある。このように、画像形成装置の電源ＯＦＦがなされない状態では、第三者によって不正利用され、ＨＤＤなどの記憶デバイスに記憶されている機密文書などが漏洩してしまうおそれがある。
【０００８】
本発明は、このような状況に鑑みてなされたものであり、上記問題点を解消することができる電子機器及び電源制御プログラムを提供することを目的とする。
【課題を解決するための手段】
【０００９】
本発明の電子機器は、情報を記憶する無線タグと、電源モードを制御する電源制御部と、前記情報に基づき前記電源制御部に対して前記電源モードの移行を指示するシステム制御部とを備え、前記システム制御部は、ユーザー認証済みの携帯端末から前記無線タグへのＷｒｉｔｅ要求に含まれる電源モード移行要求情報の書き込みがあると、前記電源制御部に対し前記電源モード移行要求情報に基づき通常モードへの移行を指示し、前記携帯端末が前記無線タグから離れた場合、前記電源制御部に対し指示前の電源モードに戻すように指示することを特徴とする。
また、認証管理部を備え、前記システム制御部は、前記無線タグに対して前記携帯端末からのＲｅａｄ要求がある場合、前記認証管理部に対し、前記Ｒｅａｄ要求に含まれるパスワード認証情報のユーザー認証を指示し、前記認証管理部による前記ユーザー認証が成功した場合、前記電源制御部の現在の前記電源モードを取得して前記無線タグに電源モード情報を書き込み、前記携帯端末から前記無線タグに書き込まれた前記電源モード情報に対する前記電源モード移行要求情報に基づき、前記電源制御部に対して通常モードへの移行を指示することを特徴とする。
また、認証管理部を備え、前記システム制御部は、前記携帯端末が前記無線タグから離れた場合、前記電源制御部が前記指示前の電源モードに戻すと、前記電源制御部の現在の前記電源モードを取得して前記無線タグに電源モード情報を書き込み、前記無線タグに対して前記携帯端末からのＲｅａｄ要求がある場合、前記認証管理部に対し、前記Ｒｅａｄ要求に含まれるパスワード認証情報のユーザー認証を指示し、前記認証管理部による前記ユーザー認証が成功した場合、前記携帯端末から前記無線タグに書き込まれた前記電源モード情報に対する前記電源モード移行要求情報に基づき、前記電源制御部に対して通常モードへの移行を指示することを特徴とする。
また、前記電源モード情報は、省電力モード又は電源ＯＦＦモードを示す内容を含み、前記電源モード移行要求情報は、省電力解除要求又は電源ＯＮ要求を含み、前記システム制御部は、前記電源モード移行要求情報が前記省電力解除要求である場合、前記電源制御部に対し前記省電力解除要求に基づく通常モードへの移行と、前記携帯端末が前記無線タグから離れたことに基づく通常モードから前記省電力モードへの移行とを指示し、前記電源モード移行要求情報が前記電源ＯＮ要求である場合、前記電源制御部に対し前記電源ＯＮ要求に基づく通常モードへの移行と、前記携帯端末が前記無線タグから離れたことに基づく通常モードから前記電源ＯＦＦモードへの移行とを指示することを特徴とする。
本発明の電源制御プログラムは、電子機器を制御するコンピューターに実行させる電源制御プログラムであって、無線タグに情報を記憶させる工程と、電源制御部により、電源モードを制御する工程と、システム制御部により、前記情報に基づき前記電源制御部に対して前記電源モードの移行を指示する工程とを有し、前記システム制御部は、ユーザー認証済みの携帯端末から前記無線タグへのＷｒｉｔｅ要求に含まれる電源モード移行要求情報の書き込みがあると、前記電源制御部に対し前記電源モード移行要求情報に基づき通常モードへの移行を指示し、前記携帯端末が前記無線タグから離れた場合、前記電源制御部に対し指示前の電源モードに戻すように指示することを特徴とする。
本発明の電子機器及び電源制御プログラムでは、システム制御部がユーザー認証済みの携帯端末から無線タグへのＷｒｉｔｅ要求に含まれる電源モード移行要求情報の書き込みがあると、電源制御部に対し電源モード移行要求情報に基づき通常モードへの移行を指示し、携帯端末が無線タグから離れた場合、電源制御部に対し指示前の電源モードに戻すように指示する。
これにより、たとえば携帯端末が無線タグに近接している場合、電源制御部が通常モードに移行することで、電子機器の利用が可能となり、携帯端末が無線タグから離れた場合、電源制御部が通常モードから指示前の電源モードに戻るため、電子機器の利用が不可能となることから、第三者による不正利用を阻止できる。
【発明の効果】
【００１０】
本発明の電子機器及び電源制御プログラムによれば、第三者による不正利用を阻止できるので、記憶デバイスに記憶されている機密文書などの漏洩を防止できる。
【図面の簡単な説明】
【００１１】
【図１】本発明の電子機器をＭＦＰに適用した場合の一実施形態を説明するための図である。
【図２】図１のＭＦＰ、ＮＦＣタグ及び携帯端末の構成の一例について説明するための図である。
【図３】図１の携帯端末側の処理について説明するためのフローチャートである。
【図４】図１のＭＦＰ側の処理について説明するためのフローチャートである。
【発明を実施するための形態】
【００１２】
以下、本発明の電子機器の一実施形態を、図１〜図４を参照しながら説明する。なお、以下の説明において、電子機器の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。
【００１３】
まず、図１に示すように、ＭＦＰ１００は、無線タグであるＮＦＣ（Ｎｅａｒ  Ｆｉｅ
ｌｄ  Ｃｏｍｍｕｎｉｃａｔｉｏｎｓ）タグ２００を有している。なお、図中符号３００は、携帯端末を示している。ここで、ＮＦＣタグ２００は、ＭＦＰ１００に対して有線（Ｉ２Ｃバスなどのシリアルバス）で接続されている。また、ＮＦＣタグ２００は、携帯端末３００に対して無線接続されている。
【００１４】
ＮＦＣタグ２００には、たとえばＭＦＰ１００によって書き込まれた現在の電源モードを示す電源モード情報が書き込まれる。電源モード情報は、たとえば省電力モードであるか、電源ＯＦＦモードであるかを示す内容が含まれる。また、ＮＦＣタグ２００には、たとえば携帯端末３００からのパスワード認証付きのＲｅａｄ要求に含まれるパスワード認証情報や、Ｒｅａｄ要求の後に送信されるＷｒｉｔｅ要求に含まれる電源モード移行要求情報が書き込まれる。なお、Ｗｒｉｔｅ要求は、パスワード認証付きであってもよい。パスワード認証情報には、ユーザーＩＤ（ｉｄｅｎｔｉｆｉｃａｔｉｏｎ）及びパスワードが含まれる。なお、パスワード認証情報には、携帯端末３００の固有情報などが含まれていてもよい。また、電源モード移行要求情報には、省電力解除要求又は電源ＯＮ要求を示す内容などが含まれる。
【００１５】
携帯端末３００は、無線通信によりＮＦＣタグ２００に記憶されている情報の読み出しと、ＮＦＣタグ２００への情報の書き込みとを行うＮＦＣ  Ｒｅａｄｅｒ／Ｗｒｉｔｅｒ機能（以下、ＮＦＣ機能という）を実現させるＮＦＣアプリケーションを搭載している。なお、ＮＦＣアプリケーションは、上述したユーザーＩＤ及びパスワードを含むパスワード認証情報を有している。また、携帯端末３００としては、ＮＦＣ機能を搭載できるスマートフォン、タブレット、ノートパソコンなどを用いることができる。
【００１６】
次に、図２を参照し、ＭＦＰ１００、ＮＦＣタグ２００、携帯端末３００の構成の一例について説明する。まず、ＭＦＰ１００は、プリンター部１０１、Ｉ／Ｆ（インターフェース）１０２、パネル部１０３、ＨＤＤ１０４を制御する制御部１１０を備えている。なお、ＭＦＰ１００は、スキャナー部、ＦＡＸ部などを備えていてもよい。
【００１７】
プリンター部１０１は、制御部１１０から出力される印刷データに基づき、図示しない用紙上に画像を印刷するデバイスである。Ｉ／Ｆ１０２は、ＮＦＣタグ２００との通信を受け持つ。なお、Ｉ／Ｆ１０２は、ＬＡＮ（Ｌｏｃａｌ  Ａｒｅａ  Ｎｅｔｗｏｒｋ）などのネットワークを介し、携帯端末３００との通信を受け持ってもよい。また、Ｉ／Ｆ１０２は、図示しないコンテンツサーバーやウェブサーバーなどとの通信を受け持ってもよい。パネル部１０３は、例えば、ＭＦＰ１００の印刷機能、コピー機能、ＦＡＸ機能、ネットワーク経由でのデータ送受信機能や、各種設定のための表示を行うタッチパネルとハードウェアキーとを有するデバイスである。ＨＤＤ１０４は、ＭＦＰ１００の種々の機能を提供するためのアプリケーションプログラムなどを記憶している記憶デバイスである。また、ＨＤＤ１０４は、たとえば図示しないユーザー端末から登録された印刷ジョブを記憶するユーザーボックスなどを有している。
【００１８】
制御部１１０は、画像形成プログラムや制御プログラムなどを実行してＭＦＰ１００全体の動作を制御するプロセッサーである。制御部１１０は、プリンター制御部１１１、通信制御部１１２、ＲＡＭ１１３、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）１１４、画像処理部１１５、認証管理部１１６、電源制御部１１７、パネル操作制御部１１８、ＨＤＤ制御部１１９、システム制御部１２０を備えている。また、これらは、データバス１２１に接続されている。
【００１９】
プリンター制御部１１１は、プリンター部１０１の印刷動作を制御する。通信制御部１１２は、Ｉ／Ｆ１０２を介し、ＮＦＣタグ２００などとの送受信の制御を行う。ＲＡＭ１１３は、プログラムを実行するためのワークメモリーである。ＥＥＰＲＯＭ１１４には、各部の動作チェックなどを行う制御プログラムが記憶されている。画像処理部１１５は、たとえばＨＤＤ１０４のユーザーボックスに登録された印刷ジョブに対する画像処理（ラスタライズ）を行う。なお、システム制御部１２０は、画像処理部１１５が画像処理した印刷データを、一旦、ＲＡＭ１１３に記憶させる。
【００２０】
認証管理部１１６は、たとえば携帯端末３００によってＮＦＣタグ２００に書き込まれたユーザーＩＤ及びパスワードを含むパスワード認証情報と、たとえばＨＤＤ１０４に登録されているパスワード認証情報とを比較してユーザー認証を行う。電源制御部１１７は、システム制御部１２０の指示に基づき、通常モードから省電力モード又は電源ＯＦＦモードに移行する。また、電源制御部１１７は、システム制御部１２０の指示に基づき、省電力モード又は電源ＯＦＦモードから通常モードに移行する。ここで、省電力モードには、たとえば一定時間操作が無いときにパネル部１０３（例えば、タッチパネル）などへの電力供給を停止させて消費電力を少なくする低電力モードや、低電力モードよりも消費電力の少ないスリープモードなどがある。また、電源ＯＦＦモードは、少なくとも制御部１１０のシステム制御部１２０以外の各部位への電力供給を停止させる。また、通常モードは、各部位へ電力供給を行い、ＭＦＰ１００の機能の使用を可能とする。パネル操作制御部１１８は、パネル部１０３の表示動作を制御する。また、パネル操作制御部１１８は、パネル部１０３を介し、印刷、コピー、ＦＡＸ、ネットワーク経由でのデータ送受信などの開始の設定などを受け付ける。また、パネル操作制御部１１８は、パネル部１０３を介し、省電力モード又は電源ＯＦＦモードの選択を受け付ける。
【００２１】
システム制御部１２０は、各部の連携動作を制御する。また、システム制御部１２０は、パネル部１０３を介して、省電力モード又は電源ＯＦＦモードが選択されると（省電力モードのうち低電力モード又はスリープモードが選択されても良い。）、電源制御部１１７に対し、省電力モード又は電源ＯＦＦモードへの移行を指示する。また、システム制御部１２０は、ＮＦＣタグ２００に対してたとえば携帯端末３００からのＲｅａｄ要求が有ると、認証管理部１１６に対し、Ｒｅａｄ要求に含まれるパスワード認証情報のユーザー認証を指示する。また、システム制御部１２０は、認証管理部１１６がユーザー認証に成功した場合、電源制御部１１７から現在の電源モードを取得し、ＮＦＣタグ２００に書き込む。なお、現在の電源モードとは、省電力モードであるか、電源ＯＦＦモードであるかを示す。また、システム制御部１２０は、携帯端末３００によってＮＦＣタグ２００にＷｒｉｔｅ要求に含まれる省電力解除要求又は電源ＯＮ要求を示す内容が書き込まれた場合、電源制御部１１７に対し、省電力解除又は電源ＯＮへの移行を指示する。また、システム制御部１２０は、ＮＦＣタグ２００を介し、携帯端末３００からの電波が一定時間無い場合、電源制御部１１７に対し、通常モードに移行する前の電源モードに戻すように指示する。すなわち、システム制御部１２０は、通常モードに移行する前の電源モードが低電力モード又はスリープモードである場合、電源制御部１１７に対し、通常モードから低電力モード又はスリープモードに戻すように指示する。また、システム制御部１２０は、通常モードに移行する前の電源モードが電源ＯＦＦモードである場合、電源制御部１１７に対し、通常モードから電源ＯＦＦモードに戻すように指示する。
【００２２】
ＮＦＣタグ２００は、Ｉ／Ｆ２０１を制御する制御部２１０を備えている。Ｉ／Ｆ１０２は、ＭＦＰ１００との通信を受け持つ。制御部２１０は、アンテナ部２１１とＩＣチップ２１２とを有している。アンテナ部２１１は、特定の周波数（たとえば１３．５６ＭＨｚ）を利用して携帯端末３００との通信を行う。ＩＣチップ２１２は、ＭＦＰ１００又は携帯端末３００によって書き込まれる情報を記憶する不揮発性メモリーを有している。また、ＩＣチップ２１２は、Ｉ／Ｆ２０１又はアンテナ部２１１を介して受け取った情報を不揮発性メモリーに書き込んだり、不揮発性メモリーの情報をＩ／Ｆ２０１又はアンテナ部２１１を介して送信したりする。なお、不揮発性メモリーの情報は、ＮＦＣ規格で定義されたフォーマットで書き込まれる。
【００２３】
携帯端末３００は、アンテナ３０１、パネル部３０２を制御する制御部３１０を備えている。アンテナ３０１は、電波を発信しＮＦＣタグ２００などとの通信を受け持つ。また、アンテナ３０１は、ネットワークを介し、ＭＦＰ１００や、図示しないコンテンツサーバーやウェブサーバーなどとの通信を受け持つ。パネル部３０２は、携帯端末３００の各種機能の選択、文字入力、情報表示などを行うタッチパネルなどのデバイスである。
【００２４】
制御部３１０は、アプリケーションプログラム及び制御プログラムなどを実行して携帯端末３００全体の動作を制御するプロセッサーである。制御部３１０は、通信制御部３１１、ＲＡＭ３１２、ＥＥＰＲＯＭ３１３、パネル操作制御部３１４、システム制御部３１５を備えている。また、これらは、データバス３１６に接続されている。
【００２５】
通信制御部３１１は、アンテナ３０１を介し、ＮＦＣタグ２００やＭＦＰ１００などの送受信の制御を行う。ＲＡＭ３１２は、プログラムを実行するためのワークメモリーである。ＥＥＰＲＯＭ３１３には、各部の動作チェックなどを行う制御プログラムが記憶されている。また、ＥＥＰＲＯＭ３１３には、たとえば無線通信によりＮＦＣタグ２００に記憶されている情報の読み出しと、ＮＦＣタグ２００への情報の書き込みとを行う上述したＮＦＣ機能を実現させるＮＦＣアプリケーションなどが記憶されている。なお、ＮＦＣアプリケーションは、上述したユーザーＩＤ及びパスワードを含むユーザー識別情報を有している。パネル操作制御部３１４は、パネル部３０２の表示動作などを制御する。
【００２６】
システム制御部３１５は、各部の連携動作などを制御する。また、システム制御部３１５は、パネル部３０２を介しＮＦＣ機能が選択されると、ＮＦＣアプリケーションを起動させ、通信制御部３１１に対し、アンテナ３０１から電波を送信させる。また、システム制御部３１５は、ＮＦＣアプリケーションによるＲｅａｄ要求により、ＮＦＣタグ２００に書き込まれている情報を取得する。また、システム制御部３１５は、ＮＦＣアプリケーションによるＷｒｉｔｅ要求により、ＮＦＣタグ２００に情報を書き込む。
【００２７】
次に、図３を参照し、携帯端末３００側の処理について説明する。なお、以下においては、ユーザーが携帯端末３００のＮＦＣ機能を選択した後、ＮＦＣタグ２００をかざす位置に携帯端末３００をセットするものとして説明する。この場合、たとえばＮＦＣタグ２００を囲む位置にホルダーやフックなどを設け、携帯端末３００をそのホルダーやフックにセットすることで、携帯端末３００によるＮＦＣタグ２００をかざす状態を維持できる。また、以下において、ＮＦＣタグ２００に書き込まれている情報は、ＭＦＰ１００側の現在の電源モードを示す省電力モード又は電源ＯＦＦモードであるものとする。
【００２８】
（ステップＳ１０１）
システム制御部３１５は、ＮＦＣ機能が選択されたかどうかを判断する。
この場合、システム制御部３１５は、パネル操作制御部３１４からのパネル部３０２を介してＮＦＣ機能が選択されたことを示す通知が無ければＮＦＣ機能が選択されないと判断する（ステップＳ１０１：Ｎｏ）。
これに対し、システム制御部３１５は、パネル操作制御部３１４からのパネル部３０２を介してＮＦＣ機能が選択されたことを示す通知が有ればＮＦＣ機能が選択されたと判断し（ステップＳ１０１：Ｙｅｓ）、ステップＳ１０２に移行する。
【００２９】
（ステップＳ１０２）
システム制御部３１５は、ＮＦＣアプリケーションを起動させる。
この場合、システム制御部３１５は、ＥＥＰＲＯＭ３１３に記憶されているＮＦＣアプリケーションを読み込む。また、システム制御部３１５は、ＮＦＣアプリケーションが有するユーザーＩＤ及びパスワードを含むパスワード認証情報を確認する。
【００３０】
（ステップＳ１０３）
システム制御部３１５は、アンテナ３０１がＮＦＣタグ２００に近接しているかどうかを判断する。
この場合、システム制御部３１５は、図示しない距離センサーの距離を示す測定結果が一定値以上である場合、ＮＦＣタグ２００に近接していないと判断する（ステップＳ１０３：Ｎｏ）。
これに対し、システム制御部３１５は、図示しない距離センサーの距離を示す測定結果が一定値未満である場合、ＮＦＣタグ２００に近接していると判断し（ステップＳ１０３：Ｙｅｓ）、ステップＳ１０４に移行する。
なお、携帯端末３００とＮＦＣタグ２００との通信距離は、たとえば１０ｃｍ未満であるため、携帯端末３００のＮＦＣタグ２００をかざす位置が１０ｃｍ未満であればよい。
また、システム制御部３１５は、距離センサーを用いずに、ＮＦＣタグ２００からの応答を受け取ったかどうかで携帯端末３００がＮＦＣタグ２００に近接しているどうかを判断してもよい。この場合、システム制御部３１５は、通信制御部３１１に対し、アンテナ３０１から電波による無線通信の接続確認のための応答要求を一定間隔（たとえば１０秒間隔）で送信させ、ＮＦＣタグ２００からの応答を受け取った場合、携帯端末３００がＮＦＣタグ２００に近接していると判断してもよい。その他、アンテナ３０１がＮＦＣタグに近接しているかどうかの判断は、近接無線通信の公知の方法を用いることができる。
【００３１】
（ステップＳ１０４）
システム制御部３１５は、Ｒｅａｄ要求を送信させる。
この場合、システム制御部３１５は、通信制御部３１１に対し、アンテナ３０１から電波によるパスワード認証情報を含むＲｅａｄ要求を送信させる。
【００３２】
（ステップＳ１０５）
システム制御部３１５は、情報を受け取ったかどうかを確認する。
この場合、システム制御部３１５は、通信制御部３１１からのＮＦＣタグ２００に書き込まれている情報を受け取ったことを示す通知が無ければ情報を受け取っていないと判断する（ステップＳ１０５：Ｎｏ）。
これに対し、システム制御部３１５は、通信制御部３１１からのＮＦＣタグ２００に書き込まれている情報を受け取ったことを示す通知が有れば情報を受け取ったと判断し（ステップＳ１０５：Ｙｅｓ）、ステップＳ１０６に移行する。
ここで、ＮＦＣタグ２００に書き込まれている情報とは、上述したＭＦＰ１００側の現在の電源モードである、省電力モード又は電源ＯＦＦモードを示す。
【００３３】
（ステップＳ１０６）
システム制御部３１５は、省電力モードであるかどうかを判断する。
この場合、システム制御部３１５は、ＮＦＣタグ２００に書き込まれている情報が省電力モードである場合、省電力モードであると判断し（ステップＳ１０６：Ｙｅｓ）、ステップＳ１０７に移行する。
これに対し、システム制御部３１５は、ＮＦＣタグ２００に書き込まれている情報が電源ＯＦＦモードである場合、省電力モードでないと判断し（ステップＳ１０６：Ｎｏ）、ステップＳ１０８に移行する。
【００３４】
（ステップＳ１０７）
システム制御部３１５は、省電力解除要求を含むＷｒｉｔｅ要求を送信させる。
この場合、システム制御部３１５は、通信制御部３１１に対し、アンテナ３０１から電波による省電力解除要求を含むＷｒｉｔｅ要求を送信させる。
なお、省電力解除要求を含むＷｒｉｔｅ要求にはパスワード認証情報を含ませてもよい。
【００３５】
（ステップＳ１０８）
システム制御部３１５は、電源ＯＮ要求を含むＷｒｉｔｅ要求を送信させる。
この場合、システム制御部３１５は、通信制御部３１１に対し、アンテナ３０１から電波による電源ＯＮ要求を含むＷｒｉｔｅ要求を送信させる。
なお、電源ＯＮ要求を含むＷｒｉｔｅ要求にはパスワード認証情報を含ませてもよい。
【００３６】
（ステップＳ１０９）
システム制御部３１５は、ＮＦＣタグ２００から離れたかどうかを判断する。
この場合、システム制御部３１５は、図示しない距離センサーの距離を示す測定結果が一定値未満（たとえば１０ｃｍ未満）であれば、携帯端末３００がＮＦＣタグ２００から離れていないと判断する（ステップＳ１０９：Ｎｏ）。
これに対し、システム制御部３１５は、図示しない距離センサーの距離を示す測定結果が一定値以上（たとえば１０ｃｍ以上）であれば、携帯端末３００がＮＦＣタグ２００から離れたと判断し（ステップＳ１０９：Ｙｅｓ）、ステップＳ１１０に移行する。
【００３７】
（ステップＳ１１０）
システム制御部３１５は、一定時間経過したかどうかを判断する。
この場合、システム制御部３１５は、携帯端末３００がＮＦＣタグ２００から離れたと判断してから図示しないタイマーの計測値が一定時間（たとえば２０秒）を超えていなければ一定時間経過していないと判断する（ステップＳ１１０：Ｎｏ）。
これに対し、システム制御部３１５は、携帯端末３００がＮＦＣタグ２００から離れたと判断してから図示しないタイマーの計測値が一定時間（たとえば２０秒）を超えていれば一定時間経過したと判断し（ステップＳ１１０：Ｙｅｓ）、処理を終了する。
このように、システム制御部３１５により、携帯端末３００がＮＦＣタグ２００から離れたと判断してから一定時間経過後に処理を終了させることで、誤って携帯端末３００をＮＦＣタグ２００から離してしまい、すぐに携帯端末３００をＮＦＣタグ２００をかざす位置に戻した場合でも、処理の中断を避けることができる。
【００３８】
なお、ステップＳ１０７又はステップＳ１０８において、省電力解除要求又は電源ＯＮ要求を含むＷｒｉｔｅ要求を送信させているが、さらに省電力解除要求又は電源ＯＮ要求に起動モード要求を追加してもよい。起動モード要求としては、たとえばＭＦＰ１００の設定確認や設定変更を行う設定画面を表示させることなどを指示する内容である。この起動モード要求を追加することで、たとえばメンテナンス時に、ＭＦＰ１００側の電源モードが省電力解除又は電源ＯＮとなってから直ちに設定確認や設定変更を行う設定画面を表示させることができ、設定画面の表示の選択操作などを不要にできる。
【００３９】
次に、図４を参照し、ＭＦＰ１００側の処理について説明する。なお、以下においては、上述したように、ＮＦＣタグ２００を囲む位置に設けたホルダーやフックにより、ＮＦＣタグ２００をかざす位置にＮＦＣタグ２００との無線通信ができる状態となっている携帯端末３００がセットされている場合として説明する。
【００４０】
（ステップＳ２０１）
システム制御部１２０は、Ｒｅａｄ要求が有るかどうかを判断する。
この場合、システム制御部１２０は、通信制御部１１２がＮＦＣタグ２００からの状態変化時に通知される通知信号を受け取っていなければＲｅａｄ要求が無いと判断する（ステップＳ２０１：Ｎｏ）。
これに対し、システム制御部１２０は、通信制御部１１２がＮＦＣタグ２００からの状態変化時に通知される通知信号を受け取っていればＲｅａｄ要求が有ると判断し（ステップＳ２０１：Ｙｅｓ）、ステップＳ２０２に移行する。
ＮＦＣタグ２００の状態変化とは、アンテナ部２１１を介して情報の読み出しや書き込みが生じたことを意味する。なお、ＮＦＣタグ２００がアンテナ部２１１を介し、携帯端末３００から上述した一定間隔（たとえば１０秒間隔）で送信される無線通信の接続確認のための応答要求を受け取った場合、ＭＦＰ１００に対して通知信号を出すようにしてもよい。また、ＮＦＣタグ２００に対してＲｅａｄ要求があると、ＮＦＣタグ２００のＩＣチップ２１２が不揮発性メモリーにＲｅａｄ要求に含まれるユーザーＩＤ及びパスワードを含むパスワード認証情報を記憶させる。
【００４１】
（ステップＳ２０２）
システム制御部１２０は、ユーザー認証が成功したかどうかを判断する。
この場合、システム制御部１２０は、ＮＦＣタグ２００に書き込まれたユーザーＩＤ及びパスワードを含むパスワード認証情報を読み出し、認証管理部１１６に対してユーザー認証を指示する。このとき、認証管理部１１６は、システム制御部１２０から受け取ったパスワード認証情報と、たとえばＨＤＤ１０４に登録されているパスワード認証情報とを比較してユーザー認証を行う。
システム制御部１２０は、認証管理部１１６がパスワード認証情報の一致を確認すると、ユーザー認証が成功したと判断し（ステップＳ２０２：Ｙｅｓ）、ステップＳ２０３に移行する。
これに対し、システム制御部１２０は、認証管理部１１６がパスワード認証情報の一致を確認しなければ、ユーザー認証が失敗したと判断し（ステップＳ２０２：Ｎｏ）、処理を終了する。この場合、システム制御部１２０は、パネル操作制御部１１８に対し、パネル部１０３にユーザー認証が失敗したことを示す警告表示を指示してもよい。
【００４２】
（ステップＳ２０３）
システム制御部１２０は、現在の電源モードを取得する。
この場合、システム制御部１２０は、電源制御部１１７から現在の電源モードが省電力モードであるか、電源ＯＦＦモードであるかを取得する。
【００４３】
（ステップＳ２０４）
システム制御部１２０は、取得した電源モードに対応する電源モード情報をＮＦＣタグ２００に書き込む。
この場合、システム制御部１２０は、電源制御部１１７から取得した電源モードが省電力モードである場合、ＮＦＣタグ２００に省電力モードであることを示す電源モード情報を書き込む。これに対し、システム制御部１２０は、電源制御部１１７から取得した電源モードが電源ＯＦＦモードである場合、ＮＦＣタグ２００に電源ＯＦＦモードであることを示す電源モード情報を書き込む。
【００４４】
（ステップＳ２０５）
システム制御部１２０は、Ｗｒｉｔｅ要求があるかどうかを判断する。
この場合、システム制御部１２０は、通信制御部１１２がＮＦＣタグ２００からの状態変化時に通知される通知信号を受け取っていなければＷｒｉｔｅ要求が無いと判断する（ステップＳ２０５：Ｎｏ）。
これに対し、システム制御部１２０は、通信制御部１１２がＮＦＣタグ２００からの状態変化時に通知される通知信号を受け取っていればＷｒｉｔｅ要求が有ると判断し（ステップＳ２０５：Ｙｅｓ）、ステップＳ２０６に移行する。
なお、システム制御部１２０は、ＮＦＣタグ２００に対してステップＳ２０１でのＲｅａｄ要求が有った場合、一定間隔（たとえば１０秒間隔）でＮＦＣタグ２００に情報が書き込まれたかどうかを確認することで、Ｗｒｉｔｅ要求があったかどうかを判断してもよい。
【００４５】
（ステップＳ２０６）
システム制御部１２０は、省電力解除要求かどうかを判断する。
この場合、システム制御部１２０は、ＮＦＣタグ２００に書き込まれた情報を読み出し、その情報が省電力解除要求を示す内容であれば省電力解除要求であると判断し（ステップＳ２０６：Ｙｅｓ）、ステップＳ２０７に移行する。
これに対し、システム制御部１２０は、ＮＦＣタグ２００に書き込まれた情報を読み出し、その情報が電源ＯＮ要求を示す内容であれば省電力解除要求でないと判断し（ステップＳ２０６：Ｎｏ）、ステップＳ２０８に移行する。
【００４６】
（ステップＳ２０７）
システム制御部１２０は、省電力復帰を指示する。
この場合、システム制御部１２０は、電源制御部１１７に対し、省電力復帰への移行を指示する。
このとき、電源制御部１１７は、現在の省電力モードから通常モードに移行する。
【００４７】
（ステップＳ２０８）
システム制御部１２０は、電源ＯＮを指示する。
この場合、システム制御部１２０は、電源制御部１１７に対し、電源ＯＮへの移行を指示する。
このとき、電源制御部１１７は、現在の電源ＯＦＦモードから通常モードに移行する。
【００４８】
（ステップＳ２０９）
システム制御部１２０は、電波を受信しているかどうかを判断する。
この場合、システム制御部１２０は、通信制御部１１２を介し、一定間隔（たとえば１０秒間隔）でＮＦＣタグ２００の状態を確認し、ＩＣチップ２１２がアクティブ状態であればＮＦＣタグ２００が電波を受信していると判断する（ステップＳ２０９：Ｙｅｓ）。
これに対し、システム制御部１２０は、通信制御部１１２を介し、一定間隔（たとえば１０秒間隔）でＮＦＣタグ２００の状態を確認し、ＩＣチップ２１２がアクティブ状態でなければＮＦＣタグ２００が電波を受信していないと判断し（ステップＳ２０９：Ｎｏ）、ステップＳ２１０に移行する。
すなわち、ＮＦＣタグ２００は、携帯端末３００からの電波をエネルギー源として動作するため、携帯端末３００がＮＦＣタグ２００をかざす位置にセットされているとき、携帯端末３００から常時送信される電波を受信できる。
このように、システム制御部１２０は、ＮＦＣタグ２００が電波を受信しているとき、ステップＳ２０９の判断処理を継続するので、電源制御部１１７での通常モードを維持できる。言い換えれば、携帯端末３００がＮＦＣタグ２００をかざす位置にセットされている間、ＭＦＰ１００の使用が可能となる。
なお、システム制御部１２０は、ＮＦＣタグ２００が携帯端末３００からの上述した一定間隔（たとえば１０秒間隔）で送信される無線通信の接続確認のための応答要求に対する応答を送信する際の態変化時に通知信号を出すことができる場合、その通知信号を確認して電波を受信していると判断してもよい。
【００４９】
（ステップＳ２１０）
システム制御部１２０は、一定時間経過したかどうかを判断する。
この場合、システム制御部１２０は、ＮＦＣタグ２００が電波を受信していないと判断してから図示しないタイマーの計測値が一定時間（たとえば２０秒）を超えていなければ一定時間経過していないと判断する（ステップＳ２１０：Ｎｏ）。
これに対し、システム制御部１２０は、ＮＦＣタグ２００が電波を受信していないと判断してから図示しないタイマーの計測値が一定時間（たとえば２０秒）を超えていれば一定時間経過したと判断し（ステップＳ２１０：Ｙｅｓ）、ステップＳ２１１に移行する。
このように、システム制御部１２０は、ＮＦＣタグ２００が電波を受信していないと判断してから一定時間経過したかどうかを判断するので、誤って携帯端末３００をＮＦＣタグ２００から離してしまい、すぐに携帯端末３００をＮＦＣタグ２００をかざす位置に戻した場合でも、処理の中断を避けることができる。
【００５０】
（ステップＳ２１１）
システム制御部１２０は、ステップＳ２０７又はＳ２０８における指示前の電源モードに戻すことを指示する。
この場合、システム制御部１２０は、ステップＳ２０７で電源制御部１１７に省電力復帰を指示した場合、電源制御部１１７に省電力モードに戻すように指示する。
これにより、電源制御部１１７は、省電力モードに移行する。
これに対し、システム制御部１２０は、ステップＳ２０８で電源制御部１１７に電源ＯＮを指示した場合、電源制御部１１７に電源ＯＦＦモードに戻すように指示する。
これにより、電源制御部１１７は、電源ＯＦＦモードに移行する。
ここで、システム制御部１２０は、ステップＳ２０３で電源制御部１１７から取得した電源モードの内容をＲＡＭ１１３に記憶しておき、前の電源モードを、ＲＡＭ１１３に記憶されている電源モードの内容から取得すれば良い。あるいは、システム制御部１２０は、前の電源モードを、ＮＦＣタグ２００に書き込まれている電源モード情報から取得しても良い。
【００５１】
このように、本実施形態では、システム制御部１２０がユーザー認証済みの携帯端末３００からＮＦＣタグ２００（無線タグ）へのＷｒｉｔｅ要求に含まれる電源モード移行要求情報の書き込みがあると、電源制御部１１７に対し電源モード移行要求情報に基づき通常モードへの移行を指示し、携帯端末３００がＮＦＣタグ２００（無線タグ）から離れた場合、電源制御部１１７に対し指示前の電源モードに戻すように指示する。
【００５２】
これにより、たとえば携帯端末３００がＮＦＣタグ２００（無線タグ）に近接している場合、電源制御部１１７が通常モードに移行することで、ＭＦＰ１００（電子機器）の利用が可能となり、携帯端末３００がＮＦＣタグ２００（無線タグ）から離れた場合、電源制御部１１７が通常モードから指示前の電源モードに戻るため、ＭＦＰ１００（電子機器）の利用が不可能となる。その結果、第三者による不正利用を阻止でき、ＨＤＤ１０４（記憶デバイス）に記憶されている機密文書などの漏洩を防止できる。
【００５３】
なお、システム制御部１２０は、図４に示すステップＳ２０３〜Ｓ２０４の処理を、ステップＳ２１１の後、電源制御部１１７がステップＳ２０７又はＳ２０８における指示前の電源モードに戻したときに行っても良い。
これにより、ＮＦＣタグ２００をかざす位置に携帯端末３００がセットされた場合に、ＭＦＰ１００の電源モードが通常モードへ移行するまでの時間を図４に示す処理よりも短縮することができる。
【００５４】
また、システム制御部１２０は、携帯端末３００によってＮＦＣタグ２００にＷｒｉｔｅ要求に含まれる省電力解除要求又は電源ＯＮ要求によってのみ、電源制御部１１７に対し、省電力解除又は電源ＯＮへの移行を指示するものとしてもよい。
【００５５】
また、システム制御部１２０は、省電力モードと電源ＯＦＦモードとの間で電源モードが移行する度に、移行後の電源モードに対する電源モード情報をＮＦＣタグ２００に書き込んでも良い。
【００５６】
また、省電力モードを低電力モードとするかスリープモードとするかを予め設定しておいても良い。
【００５７】
また、システム制御部１２０は、電源制御部１１７に対し、通常モードから無動作状態が特定の時間経過すると省電力モードへの移行を指示し、更に無操作状態が特定の時間経過すると電源ＯＦＦモードへの移行を指示しても良い。
【００５８】
また、システム制御部１２０は、電源制御部１１７に対し、通常モードから無動作状態が特定の時間経過すると低電力モードへの移行を指示し、更に無操作状態が特定の時間経過するとスリープモードへの移行を指示し、また更に無操作状態が特定の時間経過すると電源ＯＦＦモードへの移行を指示しても良い。
【００５９】
なお、本実施形態では、本発明の電子機器をＭＦＰ１００に適用した場合として説明したが、ＭＦＰ１００に限らず、プリンターや多機能プリンターなどの他の画像形成装置や、ＰＣ（ｐｅｒｓｏｎａｌ  ｃｏｍｐｕｔｅｒ）などの情報機器などにも適用可能である。
【符号の説明】
【００６０】
１００  ＭＦＰ
１０１  プリンター部
１０２、２０１  Ｉ／Ｆ
１０３、３０２  パネル部
１０４  ＨＤＤ
１１０、２１０、３１０  制御部
１１１  プリンター制御部
１１２、３１１  通信制御部
１１３、３１２  ＲＡＭ
１１４、３１３  ＥＥＰＲＯＭ
１１５  画像処理部
１１６  認証管理部
１１７  電源制御部
１１８、３１４  パネル操作制御部
１１９  ＨＤＤ制御部
１２０、３１５  システム制御部
１２１、３１６  データバス
２００  ＮＦＣタグ
２１１  アンテナ部
２１２  ＩＣチップ
３００  携帯端末
３０１  アンテナ
【図１】
2018075790.tif 000003
【図２】
2018075790.tif 000004
【図３】
2018075790.tif 000005
【図４】
2018075790.tif 000006